(57)【要約】【課題】タッチパネルをロックする操作またはロックを解除する操作を容易にする。【解決手段】携帯端末は、第１筐体と、第１筐体と相対移動可能に連結された第２筐体と、第１筐体または第２筐体に設けられたタッチパネルと、を有し、第１筐体と第２筐体とは、第１の形態から相対的に移動して第２の形態に変化し、第１筐体と第２筐体との相対的な位置に基づいて、複数の形態のいずれであるかを検出する形態検出手段と、タッチパネルから出力される信号を受け付ける信号受付手段と、形態検出手段により第１の形態と第２の形態のいずれでもない第３の形態が検出されるタイミングにおいて、タッチパネルから出力される信号を受け付けると、入力モードの切り替えを行い、当該信号を受け付けなければ、入力モードの切り替えを行わないモード切換手段と、を備える。【選択図】図６
2011254527.tif 000002
【特許請求の範囲】
【請求項１】
第１筐体と、
前記第１筐体と相対移動可能に連結された第２筐体と、
前記第１筐体または前記第２筐体に設けられたタッチパネルと、
を有する携帯端末であって、
前記第１筐体と前記第２筐体とは、第１の形態から相対的に移動して第２の形態に変化し、
前記第１筐体と前記第２筐体との相対的な位置に基づいて、複数の形態のいずれであるかを検出する形態検出手段と、
前記タッチパネルから出力される信号を受け付ける信号受付手段と、
前記形態検出手段により前記第１の形態と前記第２の形態のいずれでもない第３の形態が検出されるタイミングにおいて、前記タッチパネルから出力される信号を受け付けると、入力モードの切り替えを行い、当該信号を受け付けなければ、入力モードの切り替えを行わないモード切換手段と、を備えた携帯端末。
【請求項２】
前記タイミングは、前記形態検出手段により前記第１の形態または前記第２の形態から前記第３の形態へ変化が検出された後である、請求項３に記載の携帯端末。
【請求項３】
前記タイミングは、前記形態検出手段により前記第３の形態から前記第１の形態または前記第２の形態への変化が検出される前である、請求項３に記載の携帯端末。
【請求項４】
前記タッチパネルの駆動を制御する駆動制御手段をさらに備え、
前記駆動制御手段は、前記タッチパネルを駆動していないときに、前記第１の形態または前記第２の形態から前記第３の形態への変化が検出されることに応じて、前記タッチパネルを駆動する、請求項１〜３のいずれかに記載の携帯端末。
【発明の詳細な説明】
【技術分野】
【０００１】
この発明は、携帯端末に関し、タッチパネルを備えた携帯端末に関する。
【背景技術】
【０００２】
近年、携帯電話機は、ユーザインターフェイスとしてタッチパネルを備えたものがある。この携帯電話機は、搬送中などにタッチパネルが外部の物と接触することにより誤動作する場合がある。このため、タッチパネルとは別に設けたスイッチによりタッチパネルをロックする技術が知られている（例えば、特許文献１）。
【０００３】
しかしながら、ユーザは、タッチパネルを使用するためにスイッチをＯＮにする操作をしなければならず、操作が煩雑になるといった問題があった。
【先行技術文献】
【特許文献】
【０００４】
【特許文献１】特開２００２−２６８７７６号公報
【発明の概要】
【発明が解決しようとする課題】
【０００５】
この発明は上述した問題点を解決するためになされたもので、この発明の目的の１つは、タッチパネルのロックを解除する操作を容易にした携帯端末を提供することである。
【０００６】
この発明の他の目的は、タッチパネルをロックする操作を容易にした携帯端末を提供することである。
【課題を解決するための手段】
【０００７】
上述した目的を達成するためにこの発明のある局面によれば、携帯端末は、第１筐体と、前記第１筐体と相対移動可能に連結された第２筐体と、前記第１筐体または前記第２筐体に設けられたタッチパネルと、を有する携帯端末であって、前記第１筐体と前記第２筐体とは、第１の形態から相対的に移動して第２の形態に変化し、前記第１筐体と前記第２筐体との相対的な位置に基づいて、複数の形態のいずれであるかを検出する形態検出手段と、前記タッチパネルから出力される信号を受け付ける信号受付手段と、前記形態検出手段により前記第１の形態と前記第２の形態のいずれでもない第３の形態が検出されるタイミングにおいて、前記タッチパネルから出力される信号を受け付けると、入力モードの切り替えを行い、当該信号を受け付けなければ、入力モードの切り替えを行わないモード切換手段と、を備える。
【発明の効果】
【０００８】
本発明のある局面の携帯端末によれば、タッチパネルをロックする操作またはロックを解除する操作を容易にすることができる。
【図面の簡単な説明】
【０００９】
【図１】基本形態における携帯端末の斜視図である。
【図２】開形態における携帯端末の斜視図である。
【図３】中間形態にける携帯端末の斜視図である。
【図４】本実施の形態における携帯端末のハードウェア構成の概要を示す機能ブロック図である。
【図５】携帯端末が備えるＣＰＵが有する機能の概要を示す機能ブロック図である。
【図６】モード切換処理の流れの一例を示すフローチャートである。
【図７】変形例におけるモード切換の流れの一例を示すフローチャートである。
【発明を実施するための形態】
【００１０】
以下、図面を参照しつつ、本発明の実施の形態について説明する。以下の説明では、同一部品には同一の符号を付してある。それらの名称および機能も同じである。しがたってそれらについての詳細な説明は繰り返さない。
【００１１】
図１は、基本形態における携帯端末の斜視図である。図２は、開形態における携帯端末の斜視図である。図３は、中間形態にける携帯端末の斜視図である。図１〜図３を参照して、携帯端末１は、第１筐体４０と第２筐体４１とを含む。第１筐体４０と第２筐体４１とは、スライド可能に連結されており、、相対的に移動可能である。携帯端末１は、図１に示す基本形態のとき、第１筐体４０が第２筐体４１の上に重なり、略直方体になる。第１筐体４０は、第２筐体４１と重なる面の反対側の面の表側に、液晶表示装置（ＬＣＤ）１６と、ＬＣＤ１６に重畳して設けられたタッチパネル２５Ａと、を含む。第２筐体４１は、第１筐体４０と重なる面にフルキーボードである操作キー２５Ｂを含む。
【００１２】
図１を参照して、携帯端末１は、基本形態（第１形態）において、第２筐体４１の第１筐体４０と重なる面が第１筐体４０により覆われるので、操作キー２５Ｂが隠される。このため、ユーザは、携帯端末１が基本形態のときは、操作キー２５Ｂを操作することができない。一方、タッチパネル２５Ａは第１筐体４０の表面に設けられるので、外部に表出する。このため、ユーザは外部からタッチパネル２５Ａに触れることができる。
【００１３】
図２を参照して、携帯端末１は、開形態（第２の形態）において、第２筐体４１の第１筐体４０と重なる面の一部が表出する。このため、操作キー２５Ｂが表出するので、ユーザは操作キー２５Ｂを操作することができる。一方、開形態においても基本形態のときと同様にタッチパネル２５Ａは表出しているので、ユーザは外部からタッチパネル２５Ａに触れることができる。
【００１４】
図３を参照して、中間形態（第3の形態）は、基本形態および開形態のいずれの形態でもない形態である。携帯端末１が基本形態または開形態にあるときから第１筐体４０と第２筐体４１とがスライドすると中間形態となる。携帯端末１が中間形態にあるときから第１筐体４０と第２筐体４１とがスライドすると基本形態または開形態となる。中間形態は複数の形態を有するが、図３においてはその一例を示している。
【００１５】
図４は、本実施の形態における携帯端末のハードウェア構成の概要を示す機能ブロック図である。図４を参照して、携帯端末１は、携帯端末１の全体を制御するためのＣＰＵ２１と、アンテナ２２Ａと接続された無線回路２２と、ユーザの操作の入力を受付ける操作部２５と、ＧＰＳセンサ２６と、カードインターフェース（Ｉ／Ｆ）２７と、音声データを処理するためのコーデック部２８と、コーデック部２８に接続されたスピーカ１１およびマイクロフォン１３と、ＬＣＤ１６の表示を制御するための表示制御部３０と、ＣＰＵ２１で実行するためのプログラム等を記憶するためのＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ）３１と、ＣＰＵ２１の作業領域として使用されるＲＡＭ（Ｒａｎｄｏｍ  Ａｃｃｅｓｓ  Ｍｅｍｏｒｙ）３２と、閉スイッチ３４と、開スイッチ３５と、を含む。
【００１６】
無線回路２２は、アンテナ２２Ａにより受信された無線信号が入力され、無線信号を復調した信号をＣＰＵ２１に出力する。無線信号を復調した信号が音声信号の場合、ＣＰＵ２１は、音声信号をコーデック部２８に出力する。無線回路２２は、ＣＰＵ２１から信号が入力されると、その信号を変調した無線信号をアンテナ２２Ａに出力する。ＣＰＵ２１は、コーデック部２８から音声信号が入力されると、音声信号を無線回路２２に出力する
。
【００１７】
コーデック部２８は、ＣＰＵ２１から入力される音声信号を復号し、復号したデジタルの音声信号をアナログに変換し、増幅し、そしてレシーバとしてのスピーカ１１に出力する。また、コーデック部２８は、マイクロフォン１３からアナログの音声信号が入力され、音声信号をデジタルに変換し、符号化し、そして符号化した音声信号をＣＰＵ２１に出力する。
【００１８】
表示制御部３０は、ＣＰＵ２１により制御され、ＣＰＵ２１から入力される指示に従ってＬＣＤ１６を制御して、ＬＣＤ１６に画像を表示させる。ＬＣＤ１６に表示させる画像は、動画像と静止画像とを含む。
【００１９】
操作部２５は、タッチパネル２５Ａと、操作キー２５Ｂとを含む。タッチパネル２５Ａは、ユーザが指等によりタッチパネル面に触れると、指等が触れた位置を検出する。タッチパネルは、検出した位置をＣＰＵ２１に出力する。ＬＣＤ１６にボタン等を表示し、タッチパネル２５Ａでそのボタンの位置が押下されたことを検出すれば、ＣＰＵ２１は種々の操作を受け付けることができる。
【００２０】
操作キー２５Ｂは、英数、かな、カタカナおよび記号等が割り当てられた複数のキーを含み、ユーザが複数のキーを押下すると、押下されたキーに割当てられた英数、かな、カタカナおよび記号等のコードをＣＰＵ２１に出力する。また、操作部２５は、カーソルや選択を移動させるためのマルチファンクションキーを備えており、押下されたマルチファンクションキーに割当てられた指令をＣＰＵ２１に出力する。
【００２１】
ＣＰＵ２１は、操作キー２５Ｂから操作が入力されると、入力された操作に応じて処理を実行する。ＣＰＵ２１は、ＥＥＰＲＯＭ３１に記憶されている複数のアプリケーションプログラムを読出して実行する。これらのアプリケーションプログラムは、Ｃ言語やＪＡＶＡ（登録商標）などのプログラム言語で記述されるが、アプリケーションプログラムが記述されるプログラム言語は、これらに限定されることなく、他のいかなるプログラム言語で記述されてもよい。また、複数のアプリケーションプログラムがＥＥＰＲＯＭ３１に記憶されて携帯端末１に搭載されるが、複数のアプリケーションプログラムは、単一のプログラム言語で記述されたものであってもよいし、異なるプログラム言語で記述されたものであってもよい。すなわち、複数のプログラム言語で記述されたアプリケーションプログラムが混在してもよい。
【００２２】
閉スイッチ３４は、携帯端末１が基本形態のときにＯＮとなり、基本形態でないときにＯＦＦとなる。開スイッチ３５は、携帯端末１が開形態のときにＯＮとなり、開形態でないときにＯＦＦとなる。開スイッチ３５および閉スイッチ３４は、ＣＰＵ２１に接続されており、ＣＰＵ２１は閉スイッチ３４および開スイッチ３５それぞれの状態を検出することにより、携帯端末１の形態を検出する。
【００２３】
ＧＰＳセンサ２６は、全地球測位システム（ＧＰＳ）におけるＧＰＳ衛星からの電波を受信し、現在の地図上の位置を計測する。ＧＰＳセンサ２６は、計測して得た地図上の位置を示す位置情報をＣＰＵ２１に出力する。
【００２４】
カードＩ／Ｆ２７には、着脱可能なフラッシュメモリ２７Ａが装着される。ＣＰＵ２１は、カードＩ／Ｆ２７を介して、フラッシュメモリ２７Ａにアクセスが可能である。なお、ここではＣＰＵ２１で実行するためのプログラムをＥＥＰＲＯＭ３１に記憶しておく例を説明するが、プログラムをフラッシュメモリ２７Ａに記憶しておき、フラッシュメモリ２７Ａからプログラムを読み出して、ＣＰＵ２１で実行するようにしてもよい。プログラムを記憶する記録媒体としては、フラッシュメモリ２７Ａに限られず、フレキシブルディスク、カセットテープ、光ディスク（ＣＤ−ＲＯＭ（Ｃｏｍｐａｃｔ  Ｄｉｓｃ−ＲＯＭ）／ＭＯ（Ｍａｇｎｅｔｉｃ  Ｏｐｔｉｃａｌ  Ｄｉｓｃ）／ＭＤ（Ｍｉｎｉ  Ｄｉｓｃ）／ＤＶＤ（Ｄｉｇｉｔａｌ  Ｖｅｒｓａｔｉｌｅ  Ｄｉｓｃ））、ＩＣカード（メモリカードを含む）、光カード、マスクＲＯＭ、ＥＰＲＯＭ等の半導体メモリ等でもよい。また、携帯端末１をインターネットに無線回路２２を介して接続し、インターネットに接続されたコンピュータからプログラムをダウンロードして、ＣＰＵ２１で実行するようにしてもよい。ここでいうプログラムは、ＣＰＵ２１により直接実行可能なプログラムだけでなく、ソースプログラム形式のプログラム、圧縮処理されたプログラム、暗号化されたプログラム等を含む。
【００２５】
図５は、携帯端末が備えるＣＰＵが有する機能の概要を示す機能ブロック図である。図５を参照して、ＣＰＵ２１は、携帯端末１の形態を検出する形態検出部４５と、タッチパネル２５Ａが出力する信号を受け付ける信号受付部４６と、携帯端末１の動作モードを切り換えるモード切換部４７と、処理を実行する処理実行部４８と、タッチパネル２５Ａの駆動を制御する駆動制御部４９と、を含む。
【００２６】
形態検出部４５は、閉スイッチ３４と開スイッチ３５それぞれの状態を検出し、携帯端末１の形態を検出する。具体的には、閉スイッチ３４がＯＮならば携帯端末１が基本形態であることを検出し、開スイッチ３５がＯＮならば携帯端末１が開形態であることを検出し、閉スイッチ３４および開スイッチ３５がともにＯＦＦならば携帯端末１が中間形態であることを検出する。形態検出部４５は、検出した形態をモード切換部４７および駆動制御部４９に出力する。
【００２７】
信号受付部４６は、タッチパネル２５Ａが出力する位置を示す信号を受け付ける。信号受付部４６は、受け付けた信号をモード切換部４７および処理実行部４８に出力する。
【００２８】
モード切換部４７は、形態検出部４５により検出された形態と信号受付部４６により受け付けられる信号の有無とに基づいて、入力モードを切り換える。入力モードは、タッチパネルから受け付けられる信号を無効にするロックモードと、タッチパネルから受け付けられる信号を有効にするロック解除モードとを含む。モード切換部４７は、入力モードをロックモードとロック解除モードとのいずれかに切り換える。モード切換部４７は、入力モードを処理実行部４８および駆動制御部４９に出力する。
【００２９】
処理実行部４８は、アプリケーションプログラムを実行する。また、処理実行部４８は、モード切換部４８から入力される入力モードに従って、信号受付部４６から入力される、信号を受け付ける。処理実行部４８は、入力モードがロック解除モードならば信号受付部４６から入力される信号を受け付けるが、入力モードがロックモードならば信号受付部４６から入力される信号を受け付けない。処理実行部４８は、信号受付部４６から入力される信号を受け付ける場合、受け付けられた信号に従って、アプリケーションプログラムで定まる処理を実行する。
【００３０】
駆動制御部４９は、タッチパネル２５Ａの駆動を制御する。具体的には、タッチパネル２５Ａに電力を供給するか否かを切り換える。駆動制御部４９は、タッチパネル２５Ａに電力を供給しない状態に切り換えているときに、携帯端末１が基本形態または開形態から中間形態に変化すると、タッチパネル２５Ａに電力を供給する状態に切り換える。したがって、入力モードがロックモードのときであっても携帯端末１が基本形態または開形態から中間形態に変化すると、タッチパネル２５Ａに電力が供給されるので、信号受付部４６はタッチパネル２５Ａから信号を受け付けることができる。
【００３１】
また、駆動制御部４９は、タッチパネル２５Ａに電力を供給する状態に切り換えているときに、入力モードがロック解除モードからロックモードに切り換えられると、タッチパネル２５Ａに電力を供給しない状態に切り換える。入力モードがロックモードのときは、タッチパネル２５Ａに電力が供給されなくなるので、消費電力を低減することができる。
【００３２】
なお、本実施の形態においては、タッチパネル２５Ａを静電容量方式として説明するが、アナログ抵抗膜方式、超音波表面弾性波方式、赤外線遮光方式、電磁誘導方式または画像認識方式を用いてもよい。なお、抵抗膜方式のタッチパネル２５Ａを用いる場合は、消費電力が小さいので、駆動制御部４９で電力の供給を制御する必要はない。
【００３３】
図６は、モード切換処理の流れの一例を示すフローチャートである。モード切換処理は、ＣＰＵ２１がモード切換プログラムを実行することにより、ＣＰＵ２１により実行される処理である。モード切換処理は、携帯端末１が基本形態または開形態のときに実行される処理である。換言すれば、閉スイッチ３４の状態および閉スイッチ３４の状態のいずれかがＯＮの場合に実行される処理である。
【００３４】
図６を参照して、ＣＰＵ２１は、閉スイッチ３４と開スイッチ３５とがともにＯＦＦになったか否かを判断する（ステップＳ０１）。換言すれば、携帯端末２が基本形態または開形態から中間形態に変化したか否かを判断する。閉スイッチ３４と開スイッチ３５とがともにＯＦＦになるまで待機常態となり（ステップＳ０１でＮＯ）、閉スイッチ３４と開スイッチ３５とがともにＯＦＦになると処理をステップＳ０２に進める。
【００３５】
ステップＳ０２においては、入力モードがロックモードに設定されているか否かを判断する。入力モードがロックモードに設定されているならば、処理をステップＳ０３に進め、そうでなければ処理をステップＳ０４に進める。
【００３６】
ステップＳ０３においては、タッチパネル２５Ａに電力を供給し、タッチパネル２５Ａを駆動させる。ステップＳ０３に処理が進む場合、入力モードはロックモードである。ロックモードにおいては、ステップＳ０７において説明するようにタッチパネル２５Ａへの電力供給が遮断され、駆動が禁止される。タッチパネル２５Ａの駆動が禁止されている場合、タッチパネル２５Ａはその一部が外部から押下されても信号を出力しない。このため、ステップＳ０３においては、タッチパネル２５Ａを駆動することにより、タッチパネル２５Ａが外部から押下されることにより信号を出力可能な状態にする。なお、タッチパネル２５Ａに抵抗膜方式を用いその駆動を制御しない場合は、タッチパネル２５Ａが信号を出力可能な状態を継続すればよいので、ステップＳ０２およびステップＳ０３の処理は不要である。
【００３７】
次のステップＳ０４においては、タッチパネル２５Ａから信号を受け付けた否かを判断する。タッチパネル２５Ａから信号が受け付けられたならば処理をステップＳ０５に進め、そうでなければ処理をステップＳ０６に進める。タッチパネル２５Ａは、その一部が押下されると信号を出力する。このため、処理がステップＳ０５に進む場合は、ユーザがタッチパネル２５Ａに触れながら携帯端末１を基本形態または開形態から中間形態に形態を変化させたときであり、処理がステップＳ０７に進むのは、ユーザがタッチパネル２５Ａに触れることなく携帯端末１を基本形態または開形態から中間形態に形態を変化させたときである。
【００３８】
ステップＳ０５においては、入力モードを、ロック解除モードに切り換え、処理をステップＳ０８に進める。入力モードがロック解除モードの場合、タッチパネル２５Ａから受け付けられる信号が有効とされるので、ＣＰＵ２１が実行するアプリケーションプログラムは、タッチパネル２５Ａから受け付けられる信号に従って処理を実行する。
【００３９】
一方、ステップＳ０６においては、入力モードを、ロックモードに切り換え、処理をステップＳ０７に進める。これにより、タッチパネル２５Ａから受け付けられる信号が無効とされる。このため、搬送時等に外部から物がタッチパネル２５Ａに接触してもタッチパネル２５Ａから出力される信号が無効とされるので、携帯端末１が誤動作するのを防止することができる。
【００４０】
次のステップＳ０７においては、タッチパネル２５Ａへの電力供給を遮断することにより、タッチパネル２５Ａの駆動を停止する。入力モードがロックモードに切り換えられている時はタッチパネル２５Ａが出力する信号が無効にされるので、タッチパネル２５Ａの駆動を停止することができ、それにより消費電力を低減することができる。
【００４１】
ステップＳ０８においては、閉スイッチ３４の状態がＯＮか否かを判断する。閉スイッチ３４の状態がＯＮならば処理を終了し、そうでなければ処理をステップＳ０９に進める。ステップＳ０９においては、開スイッチ３５の状態がＯＮか否かを判断する。開スイッチ３５の状態がＯＮならば、処理を終了し、そうでなければ処理をステップＳ０９に戻す。すなわち、携帯端末１が中間形態から基本形態または開形態に形態が変化すると処理を終了する。
【００４２】
このため、基本形態または開形態にある携帯端末１のタッチパネル２５Ａに触れながら携帯端末１の形態を中間形態に変化させると入力モードがロック解除モードに切り換えられ、その後携帯端末１の形態を基本形態または開形態に変化させると、ロック解除モードに切り換えられた入力モードが継続される。また、基本形態または開形態にある携帯端末１のタッチパネル２５Ａに触れることなく携帯端末１の形態を中間形態に変化させると入力モードがロックモードに切り換えられ、その後が携帯端末１の形態を基本形態または開形態に変化させると、ロックモードに切り換えられた入力モードが継続される。このため、携帯端末１の基本形態または開形態における入力モードを、一時的に中間形態に変化させる簡単な操作で、切り換えることができる。
【００４３】
＜変形例＞  上述した携帯端末１は、タッチパネル２５Ａに触れながら、またはタッチパネル２５Ａに触れることなく、携帯端末１の形態を基本形態または開形態から中間形態に変化させる操作で、入力モードを切り換えるようにした。変形例における携帯端末１は、タッチパネル２５Ａに触れながら、またはタッチパネル２５Ａに触れることなく、携帯端末１の形態を中間形態から基本形態または開形態に変化させる操作で、入力モードを切り換えるようにしたものである。以下、上述した携帯端末と異なる点を説明する。
【００４４】
図７は、変形例におけるモード切換の流れの一例を示すフローチャートである。変形例におけるモード切換処理は、携帯端末１が基本形態または開形態のときに実行される処理である。換言すれば、閉スイッチ３４の状態および閉スイッチ３４の状態のいずれかがＯＮの場合に実行される処理である。
【００４５】
図７を参照して、ステップＳ１１〜ステップＳ１３の処理は、図６に示したステップＳ０１〜ステップＳ０３の処理とそれぞれ同じである。従って、ここでは説明を繰り返さない。
【００４６】
ステップＳ１４においては、タッチパネル２５Ａから信号を受け付けた否かを判断する。タッチパネル２５Ａから信号が受け付けられたならば処理をステップＳ１５に進め、そうでなければ処理をステップＳ１８に進める。
【００４７】
ステップＳ１５においては、閉スイッチ３４の状態がＯＮか否かを判断する。閉スイッ
チ３４の状態がＯＮならば処理をステップＳ１７に進め、そうでなければ処理をステップＳ１６に進める。ステップＳ１６においては、開スイッチ３５の状態がＯＮか否かを判断する。開スイッチ３５の状態がＯＮならば処理をステップＳ１７に進め、そうでなければ処理をステップＳ１４に戻す。すなわち、携帯端末１が中間形態から基本形態または開形態に形態が変化すると処理をステップＳ１７に進める。
【００４８】
ステップＳ１７においては、入力モードをロック解除モードに切り換え、処理を終了する。処理がステップＳ１７に進む場合は、ユーザがタッチパネル２５Ａに触れながら携帯端末１を中間形態から基本形態または開形態に形態を変化させたときである。このため、ユーザは、タッチパネル２５Ａに触れながら携帯端末１を中間形態から基本形態または開形態に形態を変化させる簡単な操作で、携帯端末１の入力モードをロック解除モードに切り換えることができる。
【００４９】
一方、ステップＳ１８においては、閉スイッチ３４の状態がＯＮか否かを判断する。閉スイッチ３４の状態がＯＮならば処理をステップＳ２０に進め、そうでなければ処理をステップＳ１９に進める。ステップＳ１９においては、開スイッチ３５の状態がＯＮか否かを判断する。開スイッチ３５の状態がＯＮならば処理をステップＳ２０に進め、そうでなければ処理をステップＳ１４に戻す。すなわち、携帯端末１が中間形態から基本形態または開形態に形態が変化すると処理をステップＳ２０に進める。
【００５０】
ステップＳ２０においては、入力モードをロックモードに切り換え、処理をステップＳ２１に進める。これにより、タッチパネル２５Ａから受け付けられる信号が無効とされる。このため、搬送時等に外部から物がタッチパネル２５Ａに接触してもタッチパネル２５Ａから出力される信号が無効とされるので、携帯端末１が誤動作するのを防止することができる。
【００５１】
処理がステップＳ２０に進む場合は、ユーザがタッチパネル２５Ａに触れることなく携帯端末１を中間形態から基本形態または開形態に形態を変化させたときである。このため、ユーザは、タッチパネル２５Ａに触れることなく携帯端末１を中間形態から基本形態または開形態に形態を変化させる簡単な操作で、携帯端末１の入力モードをロックモードに切り換えることができる。
【００５２】
ステップＳ２１においては、タッチパネル２５Ａへの電力供給を遮断することにより、タッチパネル２５Ａの駆動を停止し、処理を終了する。入力モードがロックモードに切り換えられている時はタッチパネル２５Ａが出力する信号が無効にされるので、タッチパネル２５Ａの駆動を停止することができ、それにより消費電力を低減することができる。
【００５３】
以上説明したように、本実施の形態における携帯端末１は、携帯端末１の形態と、タッチパネル２５Ａから出力される信号の有無とに基づき、ロックモードとロック解除モードとのいずれかに入力モードを切り換える。ユーザがタッチパネルに触れながら第１筐体４０を第２筐体４１に対してスライドさせて携帯端末１の形態を変化させる操作、または、タッチパネルに触れることなく第１筐体４０を第２筐体４１に対してスライドさせて携帯端末１の形態を変化させる操作のいずれかをすることにより、入力モードを切り換えることができる。
【００５４】
また、携帯端末１が基本形態または開形態のときに、タッチパネル２５Ａに指で触れながら第１筐体４０を第２筐体４１に対してスライドさせて携帯端末１の形態を中間形態に変化させる操作をすることにより、入力モードをロック解除モードに切り換えることができる。また、携帯端末１が基本形態または開形態のときに、タッチパネルに触れることなく第１筐体４０を第２筐体４１に対してスライドさせて携帯端末１の形態を中間形態に変
化させる操作をすることにより、入力モードをロックモードに切り換えることができる。
【００５５】
さらに、変形例における携帯端末１が中間形態のときに、タッチパネル２５Ａに指で触れながら第１筐体４０を第２筐体４１に対してスライドさせて携帯端末１の形態を基本形態または開形態に変化させる操作をすることにより、入力モードをロック解除モードに切り換えることができる。また、変形例における携帯端末１が中間形態のときに、タッチパネルに触れることなく第１筐体４０を第２筐体４１に対してスライドさせて携帯端末１の形態を基本形態または開形態に変化させる操作をすることにより、入力モードをロックモードに切り換えることができる。
【００５６】
さらに、携帯端末１が基本形態または開形態のときに、第１筐体４０を第２筐体４１に対してスライドさせて携帯端末１の形態が中間形態に変化されると、タッチパネルを駆動し、入力モードがロックモードに切り換えられるとタッチパネルの駆動を禁止する。このため、静電容量式のタッチパネル２５Ａを用いる場合であっても、入力モードを切り換えることができるとともに、消費電力を低減することができる。
【００５７】
尚、中間形態のときにタッチパネルを触れなければ、基本形態や開形態のときに、ロック状態になるようにしたが、タッチパネルに触れずに開閉したときには、開閉前のモードがロックモードかロック解除モードかに係わらず、開閉前のモードを維持するようにしても良い。つまり、タッチパネルを触れなければ、開閉によってモード変更は行われない。これにより、使用者はタッチパネルを使いたいときだけタッチパネルを触って開閉し、ロックを解除するとともに、タッチパネルの使用を望んでいないときはタッチパネルを触らず開閉し、ロック状態を維持することができる。したがって、使用者がタッチパネルを操作する意思を反映でき、わかりやすいユーザインターフェイスを提供できる。
【００５８】
今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【００５９】
上述した目的を達成するためにこの発明のある局面によれば、携帯端末は、第１筐体と、第１筐体とスライド可能に連結された第２筐体と、第１筐体または第２筐体に設けられたタッチパネルと、第１筐体と第２筐体との相対的な位置に基づいて、複数の形態のいずれであるかを検出する形態検出手段と、タッチパネルから出力される信号を受け付ける信号受付手段と、入力モードがタッチパネルから出力される信号を無効にするロックモードである場合、形態検出手段により検出される形態により定まるタイミングにおいて、信号受付手段により信号が受け付けられると、タッチパネルから出力される信号を有効にするロック解除モードに入力モードを切り換えるモード切換手段と、を備える。
【００６０】
この局面に従えば、入力モードがロックモードである場合、携帯端末の形態により定まるタイミングにおいて、タッチパネルから信号が出力されていれば、入力モードがロック解除モードに切り換えられる。このため、例えば、タッチパネルに触れながら携帯端末の形態を変化させる操作により、入力モードをロック解除モードに切り換えることができる。その結果、タッチパネルのロックを解除する操作を容易にした携帯端末を提供することができる。
【００６１】
この発明の他の局面によれば、携帯端末は、第１筐体と、第１筐体とスライド可能に連結された第２筐体と、第１筐体または第２筐体に設けられたタッチパネルと、第１筐体と第２筐体との相対的な位置に基づいて、複数の形態のいずれであるかを検出する形態検出手段と、タッチパネルから出力される信号を受け付ける信号受付手段と、入力モードがタ
ッチパネルから出力される信号を有効にするロック解除モードである場合、形態検出手段により検出される形態により定まるタイミングにおいて、信号受付手段により信号が受け付けられていなければ、タッチパネルから出力される信号を無効にするロックモードに入力モードを切り換えるモード切換手段と、を備える。
【００６２】
この局面に従えば、入力モードがロック解除モードである場合、携帯端末の形態により定まるタイミングにおいて、タッチパネルから信号が出力されていなければ、入力モードがロックモードに切り換えられる。このため、例えば、タッチパネルに触れることなく携帯端末の形態を変化させる操作により、入力モードをロックモードに切り換えることができる。その結果、タッチパネルをロックする操作を容易にした携帯端末を提供することができる。
【００６３】
好ましくは、第１筐体と第２筐体とは、第１の形態から相対的に移動して第２の形態に変化し、形態検出手段により検出される形態により定まるタイミングは、形態検出手段により第１の形態と第２の形態のいずれでもない第３の形態が検出されているときである。
【００６４】
この局面に従えば、第３の形態が検出さているときにおけるタッチパネルから出力される信号の有無に基づいて入力モードが切り換えられる。このため、第１の形態または第２の形態から第３の形態に形態を変化させることにより、入力モードを切り換えることができる。
【００６５】
好ましくは、形態検出手段により検出される形態により定まるタイミングは、形態検出手段により第１の形態または第２の形態から第３の形態へ変化が検出された後である。
【００６６】
この局面に従えば、第１の形態または第２の形態から第３の形態への変化が検出された直後におけるタッチパネルから出力される信号の有無に基づいて入力モードが切り換えられる。このため、タッチパネルに触れながら、またはタッチパネルに触れることなく第１の形態または第２の形態から第３の形態に変化させる簡単な操作で、入力モードを切り換えることができる。
【００６７】
好ましくは、形態検出手段により検出される形態により定まるタイミングは、形態検出手段により第３の形態から第１の形態または第２の形態への変化が検出される前である。
【００６８】
この局面に従えば、第３の形態から第１の形態または第２の形態への変化が検出される前におけるタッチパネルから出力される信号の有無に基づいて入力モードが切り換えられる。このため、タッチパネルに触れながら、または触れることなく第３の形態から第１の形態または第２の形態に変化させる簡単な操作で、入力モードを切り換えることができる。
【００６９】
好ましくは、タッチパネルの駆動を制御する駆動制御手段をさらに備え、駆動制御手段は、タッチパネルを駆動していないときに、第１の形態または第２の形態から第３の形態への変化が検出されることに応じて、タッチパネルを駆動する。
【００７０】
この局面に従えば、第３の形態においてタッチパネルが駆動されるので、タッチパネルから出力される信号を受け付けることができる。
【符号の説明】
【００７１】
１  携帯情報端末
１１  スピーカ
１３  マイクロフォン
１６  ＬＣＤ
２１  ＣＰＵ
２２  無線回路
２２Ａ  アンテナ
２５  操作部
２５Ａ  タッチパネル
２５Ｂ  操作キー
２６  ＧＰＳセンサ
２７  カードＩ／Ｆ
２７Ａ  フラッシュメモリ
２８  コーデック部
３０  表示制御部
３１  ＥＥＰＲＯＭ
３２  ＲＡＭ
３４  閉スイッチ
３５  開スイッチ
４０  第１筐体
４１  第２筐体
４５  形態検出部
４６  信号受付部
４７  モード切換部
４８  処理実行部
４９  駆動制御部
【図１】
2011254527.tif 000003
【図２】
2011254527.tif 000004
【図３】
2011254527.tif 000005
【図４】
2011254527.tif 000006
【図５】
2011254527.tif 000007
【図６】
2011254527.tif 000008
【図７】
2011254527.tif 000009